(57)【要約】  乗り物にヘルメットを装着するための安全装置及び特別なヘルメット。硬過ぎない材料でできた箱の形をした蓋で覆われる、テンターフックを有している特徴的なプレートが備えられている。この蓋は、乗り物に接着されるプレートとの結合が強いテンターフックを収容する内部を覆ったり露出させたりするものであり、蓋が直角になっているところから開き、ヘルメットが導入されると直ぐに、ボルトがその天井部によって止まっているところから離れる。ヘルメットは、ヘルメットの後部に設けられた開口部を介して導入される。テンターフックを収容する箱には、ヘルメットのカバーもあり、このカバーは、柔軟で不浸透性の材料でできている。テンターフックが入るヘルメットの開口部には、可動蝶番によってヘルメットに連結されたシートが設けられている。
2011513604.tif 000002
【特許請求の範囲】
【請求項１】
乗り物の理想的な場所へ速やかに貼り付くプレートを備え、前記乗り物にヘルメットを装着するための安全装置であって、
テンターフックすなわち湾曲した釘を有し、前記テンターフックすなわち湾曲した釘は、その端部に適合する硬過ぎない材料でできた箱の形をした蓋で覆われ、
前記蓋は、前記乗り物に接着される前記プレートとの結合が強い前記テンターフックを収容する内部を覆ったり露出させたりするものであり、その直角になっている部分から開き、前記ヘルメットが導入されると直ぐに、ボルトがその天井部によって止まっている部分から離れ、
前記ヘルメットは、必ずしも後部でなくてもよいが後部に設けられた寸法が前記テンターフックの直径に一致する開口部を介して導入されて、前記フックに掛かって前記プレートと前記ボルトとの間に留まり、
前記テンターフックを収容する箱に、前記ヘルメットのカバーもあり、該カバーは、柔軟で不浸透性の材料でできており、
当該装置は、前記乗り物の適切な場所に設けられ、好ましくは、運転者の脚の間の前部部分、自動二輪車の荷台又は足載せ台のある後部部分に設けられ、
前記テンターフックが入る前記ヘルメットの開口部には、可動蝶番によってヘルメットに連結されたシートが設けられている
ことを特徴とする安全装置。
【請求項２】
請求項１に記載の乗り物にヘルメットを装着するための安全装置において、
前記乗り物に接着する前記プレートは、自転車用には管の形状であり、又は、状況に合わせて前記乗り物に応じた形状である
ことを特徴とする安全装置。
【請求項３】
請求項１に記載の乗り物にヘルメットを装着するための安全装置において、
前記乗り物に接着される前記プレートは、２つの前記ヘルメットを掛けるための２つの前記テンターフックを備えることができるように、その表面が２倍になっている
ことを特徴とする安全装置。
【請求項４】
請求項１に記載の乗り物にヘルメットを装着するための安全装置において、
どのようなスペースにも接続可能な柔軟な材料よりなる前記ヘルメットの前記カバーは、足載せ台へ組み込まれて、前記ボルトが前記ヘルメットを通過し、前記ヘルメットが自身の前記足載せ台又はハンドルバーに設置される
ことを特徴とする安全装置。
【請求項５】
特定の開口部すなわち孔を有する
ことを特徴とする特別なヘルメット。
【請求項６】
請求項５に記載の特別なヘルメットにおいて、
前記ヘルメットに連結され、前記孔を覆う蓋を備える
ことを特徴とする特別なヘルメット。
【発明の詳細な説明】
【技術分野】
【０００１】
本発明は、ヘルメットの使用が義務である乗り物に装備され、ヘルメットを被るユーザーが乗り物を駐車する場合にユーザーの行き先にヘルメットを一緒に持って行く必要がなくヘルメットを乗り物に残すことができるようにする、多くの場合はテンターフックの形状を有する装置に関する。このテンターフックは、ヘルメットの盗難を不可能にする天井部を有するボルトを備え、乗り物における装置の位置は、占めるスペースが最小限であるように、運転者の脚の間の前部部分、後部部分、ハンドルバー、サドル内側、及び、足載せ台にあることが好ましい。
【背景技術】
【０００２】
安全ヘルメットは、特定の乗り物を使用する全ての場合において義務である。これらの頭部クラッシュヘルメットは、乗り物を駐車した場合、どこかに忘れるという必然的リスクを伴いながらもヘルメットのユーザーによってユーザーが行く全ての所へ一旦持ち運ばれるということを常とする。自動車交通における使用は、必須とはいえ、歩く時にヘルメットを常に持ち運ばなければならないことが煩わしくなっている。大抵の場合、これらのヘルメットは、ヘルメットから突き出す安全鎖に結ばれて繋がれ、この安全鎖が固定ハンドルによって乗り物に連結される。安全鎖が長過ぎると、ヘルメットは、多くの場合は鎖に繋がれたまま歩道又は地面に着いてしまい泥や埃が積もる。
【０００３】
本発明の適用分野は、乗り物のための補足の産業、単独では、安全ヘルメットに適用されるメカニズムの産業にある。
【０００４】
技術の状況は、どれも本発明が提案する工夫と、同じものの特定の場所とを有していないが、やや類似した特徴のいくつかのモデルに到達してはいる。
【０００５】
このように、乗り物を一旦駐車した時にヘルメットの盗難を回避する最も一般的な方法は、ヘルメットをどこへでも持って行かなければならないという必然的不都合さとヘルメットを置き忘れるというリスクとがあっても、ヘルメットを持ち運ぶことだと思われる。ヘルメットを乗り物に繋ぐ方法は複数あるが、通常は、何らかの固定された物件に上記乗り物を繋ぐのと同じ安全鎖にヘルメットを掛けるのが常となっている。そのせいで、ヘルメットは、地面に着いたままで泥が入り、衝撃に曝され、壊れる可能性がある。西国実用新案出願公開第１０２５４７２号明細書は、ハンドルバー内にのみ設けられる安全システムである。西国実用新案出願公開第２２５４５７号明細書は、２輪の乗り物にのみ適用可能である。西国実用新案第２４０３７１号明細書は、全てのアプリケーションの盗難に対する安全性を記載しているが、ハンドルバーはブロックされたままである必要があり、必然的に可動性が失われている。自動二輪車用のヘルメット及びスーツケースの二重固定を開示する西国実用新案出願公開第２５４１４７号明細書がある。
【先行技術文献】
【特許文献】
【０００６】
【特許文献１】西国実用新案出願公開第１０２５４７２号明細書
【特許文献２】西国実用新案出願公開第２２５４５７号明細書
【特許文献３】西国実用新案第２４０３７１号明細書
【特許文献４】西国実用新案第２５４１４７号明細書
【発明の概要】
【発明が解決しようとする課題】
【０００７】
本発明に比べ、これらの知られているシステムは、以下の欠点がある。
【０００８】
−紛失という必然的リスクを伴ってユーザーの全ての行き先にヘルメットを持ち運ぶという不都合さ。
【０００９】
−ヘルメットが歩道に着いたままであり、泥が入り、ヘルメットが被る衝撃の結果としてヘルメットに傷が発生するというリスクを伴うという繋ぐ際の悪条件。
【００１０】
−その設置がハンドルバー内なのでシステムを全ての乗り物に適用できず、乗り物がステアリングホイールを備えていなければならない。
【００１１】
−ヘルメットをハンドルバーの下側に置く前にハンドルバーをブロックするため、乗り物を普段取り扱うユーザーでなければ、何らかの理由で乗り物を動かす場合にヘルメットを移動できなくなる。
【００１２】
−スーツケースとヘルメットとの２つを下側に置くことは、自動二輪車にのみ適用可能であり、ユーザーに安全ヘルメットの使用を義務付けている全ての乗り物に適用可能ではない。
【課題を解決するための手段】
【００１３】
これらの欠点に対して、本発明によって提案されたシステムは、以下の利点を技術の状況に与える。
【００１４】
−低コストの製造。
【００１５】
−システムは固定されたボルトからなるため、簡単且つ実用的なメカニズム。
【００１６】
−ボルトがヘルメットの取り出しを防止するので、盗難に対する安全性。
【００１７】
−システムは、どのような場所にも設けることができるから、全てのタイプの乗り物において使用できるので、多様性があり、その結果、理想的且つ便利であり、効果的である。
【００１８】
−システムは、自動二輪車の場合はハンドルバーから独立しているので、乗り物をブロックする必要がない。
【００１９】
−システムの設置は、大部分の国々においてヘルメットの使用の義務が一般的基準である自転車のような原動機付ではない乗り物においても可能である。
【００２０】
−２つ以上のヘルメットを繋ぐことができる。
【００２１】
雨及び何らかの気候的リスクから保護するためのプラスチックをヘルメットに取り付けることができる。
【００２２】
ヘルメットは床に着かない。ヘルメットは、泥が入るのが防止され、且つ、衝撃や起こり得る破損から守られて、高い位置に留まる。
【００２３】
全てのこれらの要素が、現在の技術のシステムとは著しく異なる特徴を最終的にもたらすこととなる。
【００２４】
このように、本発明は、運転を妨げないように乗り物の理想的な場所に接着されるプレートを備え、プレートは、テンターフックすなわち湾曲した釘（必ずしもこの形状に限らない）を備え、テンターフックは、衝突が起きた場合にユーザーを傷つけない硬過ぎない材料からなり、その端部に適合する箱の形をした蓋によって、蓋が展開した時に覆われる。上述の蓋は、乗り物に接着されるプレートとの結合が強いテンターフックを収容する内部を、天井部を有するボルトが嵌め込まれる部分を形成する直角の部分から覆ったり露出させたりするものであり、この天井部は、テンターフックとボルトとを結合するために使用され、事前に導入されたヘルメットがボルトへ向かって動かないようにし、ボルトを越えることができないようにする。ヘルメットは、ヘルメットの後部部分に設けられた寸法がテンターフックの寸法に一致する開口部すなわち孔を介して導入され、テンターフックに掛かって、プレートとボルトとの間に留まる。
【００２５】
テンターフックが収容される箱には、ヘルメットのカバーもあり、このカバーは、ヘルメットを全体的に覆ってヘルメットを荒れや衝撃から保護するために広げることのできる柔軟で不浸透性の材料でできている。
【００２６】
本発明の装置は、運転者の脚の間の前部部分、自動二輪車の荷台がある後方部分、足載せ台、サドルすなわち運転席内側がより推奨されるが、より適切だと考えられる場所に設置することができる。この装置は、２つ以上のヘルメットを掛けるように２個であってもよい。２個の装置が自動二輪車に設けられている場合は、両側にヘルメットを置くことができる。
【００２７】
装置は、運転者が乗り物を駐車し、安全ヘルメットを取ったときに機能し始める。
【００２８】
機能が開始すると、運転者は箱を開け、ヘルメットを装置へ導入する。
【００２９】
その後、運転者は、ヘルメットが出て行ってしまうのを阻止するボルトを用いることにより、ヘルメットは、動かないようにされた状態で乗り物に留まる。運転者は、乗り物を発車させるために戻って来た時、ボルトを開け、ヘルメットを非常に簡単に取り出し、テンターフックとの衝突により怪我をしないようにテンターフックのスペースを蓋で覆う。
【００３０】
テンターフックに掛かる特別なヘルメットの開口部は、乗り物の運転者が特別なヘルメットを使用する場合に、被覆されていてもよいし、されていなくてもよい。孔を覆う柔軟なプラスチックは、それを錠で交差させて置く時に拡大されることになる、より小さな孔を有している。
【００３１】
異なる形態は、乗り物に接着されるプレートの形状によって構成される。プレートは、自転車用には管の形状でもよく、サドルすなわち運転席の内側において柔軟なスチールの形状であってもよい。
【００３２】
他の形態では、乗り物に接着されるプレートは、２つのヘルメットの設置のための２つの錠を設けられるように、その表面が２倍であってもよい。別の異なる形態では、ヘルメットのカバーが足載せ台に組み込まれている。柔軟な材料でできているので、どのような空間にも接続され得るからである。この場合は、ボルトは、足載せ台の端部に収容され、ヘルメットは、自身の足載せ台、又は、ハンドルバーに設置される。
【図面の簡単な説明】
【００３３】
【図１】図１は、ヘルメット及びボルトのテンターフックでの斜視図である。
【図２】図２は、ヘルメットの安全装置の図である。
【図３】図３は、ヘルメットの図である。
【発明を実施するための形態】
【００３４】
上記説明的記載をよりよく理解するため、限定的ではない例の主要な図面を添付し、発明の実施形態を説明する。
【００３５】
本発明の好ましい実施形態は、乗り物の理想的な場所へ速やかに貼り付くプレート（１）からなり、プレート（１）は、テンターフック（２）すなわち湾曲した釘を備え、このテンターフック（２）すなわち湾曲した釘は、その端部に適合する硬過ぎない材料でできた箱の形をした蓋（３）によって覆われている。蓋（３）は、乗り物に接着されるプレート（１）との結合が強いテンターフック（２）が収容される内部を覆ったり露出させたりするものであり、蓋が直角になっている部分から開き、ヘルメット（５）が導入されると直ぐに、ボルトがその天井部（４）によって止まっている部分から離れる。ヘルメット（５）は、ヘルメットの後部に設けられた寸法がテンターフック（２）の直径に一致する開口部（６）を介して導入され、テンターフックに掛かってプレート（１）とボルト（４）との間に留まる。テンターフック（２）を収容する箱（３）に、ヘルメットのカバー（７）もあり、このカバーは、柔軟で不浸透性の材料できている。本発明の装置は、運転者の脚の間の前部部分（９）、自動二輪車の荷台又は足載せ台（１１）のある後部部分（１０）に設けられることがより推奨されるが、適切な場所に設けることができる。
【００３６】
テンターフック又は南京錠が入るヘルメットの開口部には、可動蝶番（１２）によってヘルメットに連結されたシートが設けられている。
【符号の説明】
【００３７】
１  プレート
２  テンターフック
３  箱として使用する蓋
４  天井部を有するボルト
５  ヘルメット
６  ヘルメットの開口部
７  ヘルメットのカバー
８  乗り物の前部
９  乗り物の後部
１０  足載せ台
１１  ヘルメットの開口部を閉じるプレート
１２  蝶番
【図１】
2011513604.tif 000003
【図２】
2011513604.tif 000004
【図３】
2011513604.tif 000005
【国際調査報告】
2011513604.tif 000006
2011513604.tif 000007
2011513604.tif 000008
2011513604.tif 000009
2011513604.tif 000010
2011513604.tif 000011
2011513604.tif 000012
2011513604.tif 000013